(57)【要約】【課題】  蒸気輸送が止められたときに復水が流路残留することのない熱応動式スチームトラップを提供する。【解決手段】  本体１の両端にヘルールフランジ２，３を溶接してケーシングを形成する。両端に外径方向にフランジ状に突出させたヘルールシール７，８を有する可撓性管６を本体１とヘルールフランジ２，３を貫通して配置する。本体１と可撓性管６の間の空間１１に水あるいは水よりも沸点の低いアルコールあるいはそれらの混合物から成る膨張媒体１３を密封する。膨張媒体１３の膨張収縮により可撓性管６の内面の流路１５を開閉する。蒸気輸送が止められたときには、膨脹媒体１３が収縮し、可撓性管６の中央部分が実線で示すように筒状に開いて流路１５が開口される。これにより、復水は流路１５に残留することなく流下する。【選択図】      図１
2006052795.tif 000002
【特許請求の範囲】
【請求項１】
両端に配管接続用フランジ部を有するケーシングと、ケーシングを貫通して配され両端にケーシング及び配管のフランジ部間に挟持される外径方向に突出したシール部を有する可撓性管と、水あるいは水よりも沸点の低いアルコールあるいはそれらの混合物から成りケーシングと可撓性管の間に密封された膨張媒体とから成り、膨張媒体の膨張収縮により可撓性管内の流路を開閉することを特徴とする熱応動式スチームトラップ。
【発明の詳細な説明】
【技術分野】
【０００１】
本発明は、各種蒸気使用機器や蒸気配管で発生する復水を自動的に排出するスチームトラップに関し、特に、加熱されて膨脹し冷却されて収縮する媒体を含む温度制御機素を用いて、所望温度以下の流体を系外へ排出する熱応動式スチームトラップに関するものである。
【背景技術】
【０００２】
従来の熱応動素子を用いた熱応動式スチームトラップは、ケーシングで流路を形成し、弁孔を開けた弁座を流路の下端よりも上方に突出させてケーシング内に取り付け、上下壁部材と上下壁部材の間に外周縁を固着したダイヤフラムと上壁部材とダイヤフラムの間に密封した膨張媒体とダイヤフラムに固着した弁体から成る熱応動素子を流路内に取り付け、膨張媒体の膨張収縮によるダイヤフラムの変位により弁体を弁座に離着座させて弁孔を開閉するものである。
【０００３】
所定温度以上の高温流体が流路を流下してくると、水あるいは水よりも沸点の低いアルコールあるいはそれらの混合物で形成した膨脹媒体が膨脹してダイヤフラムを弁座方向に変位させ、弁体が弁座に着座して弁孔を閉止し蒸気の排出を防止する。所定温度以下の低温流体が流路を流下してくると、膨脹媒体が収縮してダイヤフラムを弁座から離す方向に変位させ、弁体が弁座から離座して弁孔を開口し復水を排出する。しかしながら、上記従来技術のものでは、蒸気輸送が止められたときに、流路の下端と弁座の上端との間の復水が排出されずに残留し、この復水によって細菌が繁殖し、特に食品や医療の分野で使用される場合には重大な事故に繋がる問題点があった。
【特許文献１】特開平８−８６３９７号公報
【発明の開示】
【発明が解決しようとする課題】
【０００４】
解決しようとする課題は、蒸気輸送が止められたときに復水が流路に残留することのない熱応動式スチームトラップを提供することである。
【課題を解決するための手段】
【０００５】
本発明は、両端に配管接続用フランジ部を有するケーシングと、ケーシングを貫通して配され両端にケーシング及び配管のフランジ部間に挟持される外径方向に突出したシール部を有する可撓性管と、水あるいは水よりも沸点の低いアルコールあるいはそれらの混合物から成りケーシングと可撓性管の間に密封された膨張媒体とから成り、膨張媒体の膨張収縮により可撓性管の内面の流路を開閉することを特徴とする熱応動式スチームトラップにある。
【発明の効果】
【０００６】
本発明は、蒸気輸送が止められたときに復水が流路に残留することがないので、細菌の繁殖を防止できるという優れた効果を生じる。
【発明を実施するための最良の形態】
【０００７】
本発明の熱応動式スチームトラップは、所定温度以上の高温流体が可撓性管の内面の流路を流下してくると、ケーシングと可撓性管の間に密封された膨張媒体が膨脹し、可撓性管の中央部分が圧搾されて流路が閉止される。これにより、蒸気の排出を防止する。所定温度以下の低温流体が流路を流下してくると、膨脹媒体が収縮し、可撓性管の中央部分が筒状に開いて流路が開口される。これにより、復水を排出する。蒸気輸送が止められたときには、温度低下により可撓性管が筒状に開いているので、復水は流路に残留することなく流下する。
【実施例１】
【０００８】
上記の技術的手段の具体例を示す実施例を説明する（図１参照）。本体１の両端に配管接続用フランジ部としてのヘルールフランジ２，３を溶接（参照番号４，５の箇所）してケーシングを形成する。本体１はステンレス鋼の薄板を中空球形に形成し、ヘルールフランジ２，３の接続部を開口させたものものである。本体１とヘルールフランジ２，３を貫通して可撓性管６を配置する。可撓性管６はＰＴＦＥ等の合成樹脂や合成ゴムで筒状に形成し、両端に外径方向にフランジ状に突出させたシール部としてのヘルールシール７，８を設けたものである。ヘルールシール７はヘルールフランジ２と図示しない蒸気配管のフランジとの間に図示しないクランプヘルールにより挟持される。ヘルールシール８はヘルールフランジ３と図示しない蒸気配管のフランジとの間に図示しないクランプヘルールにより挟持される。
【０００９】
可撓性管６の両端側の外周とヘルールフランジ２，３の内周との間に両者の間の気密を保つＯリング９，１０を配置する。本体１と可撓性管６の間の空間１１に本体１に開口させた注入口１２から水あるいは水よりも沸点の低いアルコールあるいはそれらの混合物から成る膨張媒体１３を注入し、注入口１２を栓体１４で密封する。
【００１０】
本実施例での作動は下記の通りである。蒸気輸送の開始時、可撓性管６の内面の流路１５を流下してくる流体は所定温度以下であるので、本体１と可撓性管６の間の空間１１に密封された膨脹媒体１３が収縮し、可撓性管６の中央部分が実線で示すように筒状に開いて流路１５が開口されている。これにより、復水を排出する。復水の排出により所定温度以上の高温流体が流路１５を流下してくると、膨張媒体が膨脹し、可撓性管６の中央部分が二点鎖線で示すように圧搾されて流路１５が閉止される。これにより、蒸気の排出を防止する。
【００１１】
放熱等により空間１１内の温度が所定温度以下になると、膨脹媒体１３が収縮し、可撓性管６の中央部分が実線で示すように筒状に開いて流路１５が開口される。これにより、復水を排出する。蒸気輸送が止められたときには、放熱により空間１１内の温度が所定温度以下になると、膨脹媒体１３が収縮し、可撓性管６の中央部分が実線で示すように筒状に開いて流路１５が開口される。これにより、復水は流路１５に残留することなく流下する。
【００１２】
本実施例においては、本体１が中空球形に形成されているので、円筒形等に形成されたものに比べて強度を高めることができる。また、配管との連結がヘルールフランジ２によりクランプヘルールを用いて行われるので、ボルトナットを用いるものに比べて簡単に着脱することができる。
【図面の簡単な説明】
【００１３】
【図１】本発明の実施例の熱応動式スチームトラップの断面図。
【符号の説明】
【００１４】
１  本体
２，３  ヘルールフランジ
６  可撓性管
７，８  ヘルールシール
９，１０  Ｏリング
１２  注入口
１３  膨張媒体
１４  栓体
１５  流路
【図１】
2006052795.tif 000003